(57)【特許請求の範囲】
【請求項１】
ディスクに記録され情報を識別するトラック番号とインデックス番号を有する情報群の再生順序を無作為に行うランダム再生手段を備えたディスク再生装置であって、
前記ディスクに関する情報が記録されたTOC領域に記録された該ディスクに記録された全情報に対応するトラック番号を検出し、記憶するトラック番号記憶手段と、
前記ディスクのプログラム領域に定義された前記トラック番号中の異なるインデックス番号を検出するインデックス番号検出手段と、
前記インデックス番号検出手段により検出された前記インデックス番号の曲についてトラック番号及び開始アドレスと共にトラック番号と重複しないインデックス番号を追加し、記憶するインデックス番号記憶手段と、を備え、
前記ランダム再生手段は、
前記トラック番号記憶手段及び前記インデックス番号記憶手段に記憶された前記トラック番号及び前記インデックス番号に対応する情報群を対象として再生順序を無作為に行うものであることを特徴とするディスク再生装置。
【請求項２】
乱数を発生させる乱数発生部を備え、前記乱数発生部からの乱数に基づいた無作為の順序で、前記トラック番号記憶手段及び前記インデックス番号記憶手段に記憶された前記トラック番号及び前記インデックス番号に対応する前記情報群を再生するものであることを特徴とする請求項１記載のディスク再生装置。
【請求項３】
前記ディスクのランダム再生中に、前記インデックス番号検出手段が再生中のトラック番号中に異なるインデックス番号を検出したときには、その時点で、前記トラック番号に対応する情報群の再生を中止する再生中止手段を備えたことを特徴とする請求項２記載のディスク再生装置。
【請求項４】
前記ディスクのランダム再生中に、前記インデックス番号検出手段が再生中のトラック番号中に異なるインデックス番号を検出したときには、その都度、前記検出されたインデックス番号を前記インデックス番号記憶手段に記憶することを特徴とする請求項２記載のディスク再生装置。
【請求項５】
前記ディスクがディスク装着部に装着されたとき、又は前記ディスク再生装置の電源がオフ状態からオン状態に変化したとき、又は前記ランダム再生が指示されたときには、
前記トラック番号記録手段、前記インデックス番号検出手段及び前記インデックス番号記憶手段は、動作を開始するものであることを特徴とする請求項２記載のディスク再生装置。
【請求項６】
現在再生中の情報群に対応するトラック番号又はインデックス番号を表示する表示手段を備え、
前記ディスクのランダム再生中に、前記インデックス番号に対応する情報群が選択された場合に前記表示手段に表示する数字は、前記ディスクのＴＯＣ領域に定義可能な数字群に属さない数字で表示するものであることを特徴とする請求項１記載のディスク再生装置。
【請求項７】
現在再生中の情報群に対応するトラック番号又はインデックス番号を表示する表示手段を備え、
前記ディスクのランダム再生中に、前記インデックス番号に対応する情報群が選択された場合に前記表示手段に表示する数字は、前記ディスクのＴＯＣ領域に定義可能な最大トラック番号よりも大きい数字で表示するものであることを特徴とする請求項１記載のディスク再生装置。
【請求項８】
現在再生中の情報群に対応するトラック番号又はインデックス番号を表示する表示手段を備え、
前記ディスクのランダム再生中に、前記インデックス番号に対応する情報群が選択された場合に前記表示手段に表示する数字は、既に選択された数字と異なる数字で表示するものであることを特徴とする請求項６又は請求項７記載のディスク再生装置。
【請求項９】
前記ディスク再生装置は、複数のディスクを収容し前記複数のディスクの内の１枚を選択して再生部に移送するディスク交換手段を備え、
前記ランダム再生手段は、
前記複数のディスク及び前記ディスク中に記録された全トラック番号並びに全インデックス番号に対応する情報群を対象として再生順序を無作為に行うものであることを特徴とする請求項１記載のディスク再生装置。
【発明の詳細な説明】
【０００１】
【発明の属する技術分野】
本発明は、ランダム再生機能を有するディスク再生装置に係り、特に、同一トラック番号中に異なるインデックス番号で記憶された曲も含めてランダム再生が可能なディスク再生装置に関する。
【０００２】
【従来の技術】
図４はディスク再生装置の構成を示すブロック図である。図５は従来のディスク再生装置の制御部の行う処理フローチャートである。以下、図を用いて説明する。
１は音楽情報が記録されたコンパクトディスク（ＣＤ）等のディスクで、ディスク１のＴＯＣ（Ｔａｂｌｅ  Ｏｆ  Ｃｏｎｔｅｎｔ）領域には収容されている曲数（トラック数）、曲の開始時間等の再生に必要な情報が記録されており、ターンテーブルに装着されると最初に読み取られて制御部３内のメモリに記憶される。１１はディスク１を搭載したターンテーブルを所定の線速度で回転させるためのディスク駆動部である。２はディスク１に記録された情報（音楽情報の他に再生するために必要な情報）を読み取る光ピックアップで、ディスク１表面にレーザ光を照射し、その反射光をフォトディテクタで受光して制御部３に送る。２１は光ピックアップ２をディスク１上の所定の位置に移動させるピックアップ駆動部で、光ピックアップ２で受光した情報を基に制御部３が光ピックアップ２が所定の位置にくるようにフィードバックをかける。
【０００３】
３はディスクの再生処理を制御する制御部で、光ピックアップ２の出力信号を基にピックアップ駆動部２１を制御して光ピックアップ２を所定位置に移動させる。また、光ピックアップ２からの音声信号を音声信号処理部４に出力する。尚、制御部３はディスク１の装着時に読み取ったＴＯＣ情報等を記憶するメモリ及びランダム再生のための乱数発生部を備えている。４は光ピックアップ２で検出した音楽情報を処理する音声信号処理部で、デジタル信号をアナログ信号に変換し、ローパススィルタを通した後増幅してスピーカ４１に出力する。５は再生中の曲番号、全曲数、演奏時間等（開始から時間、残り時間、トータル時間等）の再生状況等を表示する表示部で液晶等で構成されている。６はランダム再生を指示する押釦スイッチ等の入力部である。
【０００４】
次に、ランダム再生動作について図５の処理フローチャートを用いて説明する。尚、本フローチャートはディスク１が再生装置のターンテーブルに装着され、ランダム再生が指示された時点（入力部６の押釦スイッチが押された時点）から開始する。
ステップＳ１では、ＴＯＣ領域に記録された総曲数又は個々の曲番号を記憶してステップＳ２に移る。つまり、ディスク１のＴＯＣ領域に収容されている全曲の曲番号（トラック番号）、開始時間等を読み取って制御部３内のメモリに記憶する。尚、この処理は通常再生の場合でも、ディスク１がターンテーブルに装着されると最初に行われている。
【０００５】
ステップＳ２では、記憶されたデータ（曲数）中で乱数により曲番号を選択してステップＳ３に移る。つまり、ランダム演奏するために、制御部３内の乱数発生部からの乱数に基いてメモリに記憶されている曲数（ディスクの最大曲数）の中で曲番号をランダムに選択する。
ステップＳ３では、選択された曲のサーチを行い、ステップＳ４に移る。つまり、既にステップＳ１でＴＯＣ情報が読み込まれており、ステップＳ２で選択された曲（トラック番号）に対応する演奏開始時間（開始アドレス）が判っているので、制御部３はピックアップ駆動部２１に対して光ピックアップ２を移動させてディスク１上の開始アドレスを探すように指示する。ステップＳ４では、サーチが完了したか否かを判断して、完了しておればステップＳ５に移り、完了していなければステップＳ３に戻ってサーチを継続する。
【０００６】
ステップＳ５では、ディスク１の再生を開始してステップＳ６に移る。つまり、選択された曲番号（トラック番号）の音声信号を音声信号処理部４を経由してスピーカ４１に出力する。このとき、表示部５には再生中のディスク番号（複数のディスクの場合）、曲番号（トラック番号）、演奏開始からの経過時間、ランダム再生中等が表示される。ステップＳ６では、指定された曲が終了したか否かを判断して終了しておればステップＳ７に移り、終了していなければステップＳ５に戻り再生を継続する。つまり、指定されたトラック番号の曲が終了したか否かを判断する。ステップＳ７ではディスク１の再生を終了してステップＳ２に戻る。つまり、指定されたトラック番号の曲の演奏が終了したのでステップＳ２に戻り、次の曲をランダムに選択して演奏を開始する。
【０００７】
【発明が解決しようとする課題】
コンパクトディスクのＴＯＣ領域には最大９９までしか番号が付けられない。従って、百人一首のように１００以上の曲を収容する場合には、同一トラック番号の２つの異なったインデックス番号が使用される。上述の方法で同一トラック番号に２つのインデックス番号があるディスクをランダム再生すると、同一トラック番号の２曲が連続して再生されて偶然性が低下するという問題が生ずる。また、ランダム再生中に同一トラック番号中で異なったインデックス番号が検出された時点で再生を中止（又は音声回路の出力をカット）して、２曲目（２番目のインデックス番号）を再生（又は音声出力）せずに、次のランダム再生に入ることもできるが、その場合には、後のインデックス番号の曲はランダム再生の対象から外されるという問題が生ずる。
【０００８】
本発明は、同一トラック番号に２つ以上のインデックス番号が使用された場合にも、より偶然性の高いランダム再生が可能なディスク再生装置を提供することを目的とする。
【０００９】
【課題を解決するための手段】
上記目的を達成するために本発明は、ディスクに記録され情報を識別するトラック番号とインデックス番号を有する情報群の再生順序を無作為に行うランダム再生手段を備えたディスク再生装置であって、
前記ディスクに関する情報が記録されたTOC領域に記録された該ディスクに記録された全情報に対応するトラック番号を検出し、記憶するトラック番号記憶手段と、
前記ディスクのプログラム領域に定義された前記トラック番号中の異なるインデックス番号を検出するインデックス番号検出手段と、
前記インデックス番号検出手段により検出された前記インデックス番号の曲についてトラック番号及び開始アドレスと共にトラック番号と重複しないインデックス番号を追加し、記憶するインデックス番号記憶手段と、を備え、
前記ランダム再生手段は、
前記トラック番号記憶手段及び前記インデックス番号記憶手段に記憶された前記トラック番号及び前記インデックス番号に対応する情報群を対象として再生順序を無作為に行うものであることを特徴とするものである。
【００１０】
乱数を発生させる乱数発生部を備え、前記乱数発生部からの乱数に基づいた無作為の順序で、前記トラック番号記憶手段及び前記インデックス番号記憶手段に記憶された前記トラック番号及び前記インデックス番号に対応する前記情報群を再生するものであることを特徴とするものである。
【００１１】
また、前記ディスクのランダム再生中に、前記インデックス番号検出手段が再生中のトラック番号中に異なるインデックス番号を検出したときには、その時点で、前記トラック番号に対応する情報群の再生を中止する再生中止手段を備えたことを特徴とするものである。
また、前記ディスクのランダム再生中に、前記インデックス番号検出手段が再生中のトラック番号中に異なるインデックス番号を検出したときには、その都度、前記検出されたインデックス番号を前記インデックス番号記憶手段に記憶することを特徴とするものである。
【００１２】
また、前記ディスクがディスク装着部に装着されたとき、又は前記ディスク再生装置の電源がオフ状態からオン状態に変化したとき、又は前記ランダム再生が指示されたときには、前記トラック番号記録手段、前記インデックス番号検出手段及び前記インデックス番号記憶手段は、動作を開始するものであることを特徴とするものである。
【００１３】
また、現在再生中の情報群に対応するトラック番号又はインデックス番号を表示する表示手段を備え、前記ディスクのランダム再生中に、前記インデックス番号に対応する情報群が選択された場合に前記表示手段に表示する数字は、前記ディスクのＴＯＣ領域に定義可能な数字群に属さない数字で表示するものであることを特徴とするものである。
【００１４】
また、現在再生中の情報群に対応するトラック番号又はインデックス番号を表示する表示手段を備え、前記ディスクのランダム再生中に、前記インデックス番号に対応する情報群が選択された場合に前記表示手段に表示する数字は、前記ディスクのＴＯＣ領域に定義可能な最大トラック番号よりも大きい数字で表示するものであることを特徴とするものである。
【００１５】
また、現在再生中の情報群に対応するトラック番号又はインデックス番号を表示する表示手段を備え、前記ディスクのランダム再生中に、前記インデックス番号に対応する情報群が選択された場合に前記表示手段に表示する数字は、既に選択された数字と異なる数字で表示するものであることを特徴とするものである。また、前記ディスク再生装置は、複数のディスクを収容し前記複数のディスクの内の１枚を選択して再生部に移送するディスク交換手段を備え、前記ランダム再生手段は、前記複数のディスク及び前記ディスク中に記録された全トラック番号並びに全インデックス番号に対応する情報群を対象として再生順序を無作為に行うものであることを特徴とするものである。
【００１６】
【実施例】
図１は本発明の第１の実施例のディスク再生装置の制御部の行う処理フローチャートである。本実施例はランダム再生において、先ずトラック番号に含まれる曲（１番目のインデックス番号の曲）のみを対象としてランダム再生し、２番目のインデックス番号が付与された曲はそのトラック番号の１番目のインデックス番号が付与された曲が再生された後に、ランダム再生の対象とする処理方法である。以下、フローチャートを用いて説明する。尚、ディスク再生装置の構成を示すブロック図は従来例で説明した図４と同じであるため説明は省略する。また、本フローチャートはディスク１がディスク再生装置のターンテーブルに装着され、ランダム再生が指示された（ランダム再生釦６が押された）時点から開始する。
【００１７】
ステップＳ１１では、ＴＯＣ領域に記録された総曲数又は個々の曲番号を記憶してステップＳ１２に移る。つまり、ディスク１のＴＯＣ領域には収容されている全曲の曲番号（トラック番号）、開始時間等を読み取って制御部３内のメモリに記憶する。
ステップＳ１２では、記憶されたデータ（曲数）中で乱数等による曲番号を選択してステップＳ１３に移る。つまり、ランダム演奏するために、制御部３内の乱数発生部からの乱数に基いてメモリに記憶されている曲数（最大曲数）の中で曲番号をランダムに選択する。
【００１８】
ステップＳ１３では、選択された曲のサーチを行い、ステップＳ１４に移る。つまり、既にステップＳ１１でＴＯＣ情報が読み込まれており、ステップＳ１２で選択された曲（トラック番号）に対応する演奏開始時間（開始アドレス）が判っているので、制御部３はピックアップ駆動部２１に対して光ピックアップ２を移動させてディスク１上の開始アドレスを探すように指示する。ステップＳ１４では、サーチが完了したか否かを判断して、完了しておればステップＳ１５に移り、完了していなければステップＳ１３に戻ってサーチを継続する。ステップＳ１５では、ディスク１の再生を開始してステップＳ１６に移る。つまり、選択された曲番号（トラック番号）の音声信号を音声信号処理部４を経由してスピーカ４１に出力する。このとき、表示部５には再生中のディスク番号（複数のディスクの場合）、曲番号、演奏開始からの経過時間、ランダム再生中等が表示される。
【００１９】
ステップＳ１６では、インデックス番号が指定された値と異なるか否かを判断して異なればステップＳ１９に移り、同じであればステップＳ１７に移る。つまり、再生中のトラック番号に２つ以上のインデックス番号の曲があるか否かを判断するものである。プログラム領域には各フレームのサブコード中にインデックス番号が設定されており、制御部３は常にこのインデックス番号を検出して指定された値（例えば、最初のインデックス番号０１）と異なっているか否かを判断する。
【００２０】
ステップＳ１７では、指定された曲が終了したか否かを判断して終了しておればステップＳ１８に移り、終了していなければ再生を継続する。つまり、指定されたトラック番号の曲が終了したか否かを判断する。ステップＳ１８では、ディスク１の再生を終了してステップＳ１２に戻る。つまり、指定されたトラック番号の曲の演奏が終了したのでステップＳ１２に戻り、次の曲をランダムに選択して演奏を開始する。
【００２１】
ステップＳ１９では、再生を中止してステップＳ２０に移る。つまり、異なるインデックス番号を検出したので、異なる曲（２曲目）が再生されるのを防止するために、この部分の再生を中止する。再生中止の方法として音声出力処理部４への出力信号をカット（又はミュート）する方法がある。
ステップＳ２０では、インデックス番号が指示された値と異なったディスク上の場所を個々の曲番号を記憶に追加してステップＳ１２に戻る。つまり、インデックス番号の異なる２曲目の開始位置（時間）はＴＯＣ情報では指定されていないので、対象となるインデックス番号の曲についてトラック番号及びそのトラック番号の開始からの時間（開始アドレス）を制御部３内のメモリに追加して記憶する。例えば、対象となるインデックス番号の曲を１００番（９９番まではトラック番号で指定されている可能性があるので重複しないように１００番以降の数字を使用する）として曲の開始時間と共に記憶する。そして、ステップＳ１２に戻ったときには、ステップＳ１１のＴＯＣ情報読み取り時にメモリに記憶されたトラック番号と、今回、新たにメモリに追加されたインデックス番号に対応した曲（１００以降の番号）もランダム再生の対象として乱数を使用してランダム選曲する。
【００２２】
同様にして、ランダム再生中に別のトラック番号の曲中に、異なるインデックス番号の曲が検出されると、その都度再生を中止して、対応するインデックス番号（例えば、１０１、１０２番として）が順次メモリに追加されて次回のランダム選曲時に対象とされる。尚、ＣＤチェンジャを使用して複数のＣＤをランダム再生する場合にも同様に適用できる。
【００２３】
以上のように本実施例では、同一トラック番号に２つ以上のインデックス番号が使用された場合にも、該当するインデックス番号の曲が検出された時点でメモリに記憶され、同時にランダム再生の対象にされるので、全収容曲を対象としたより偶然性の高いランダム再生が可能なディスク再生装置が提供できる。
図２は本発明の第２の実施例のディスク再生装置の制御部の行う処理フローチャートである。本実施例はランダム再生において、最初の１回目からトラック番号及び異なるインデックス番号を含めて完全なランダム再生を行うための処理方法を示すものである。以下、フローチャートを用いて説明する。尚、本フローチャートはディスク１がディスク再生装置のターンテーブルに装着され、ランダム再生が指示された時点から開始する。
【００２４】
ステップＳ２１では、電源がオフの状態からオンの状態に変化したか、又はディスクが交換されたか否かを判断して電源がオンに変化、又はディスクが交換された時はステップＳ２２に移り、そうでない時はステップＳ２３に移る。ステップＳ２２では、ＴＯＣ領域に記録された総曲数又は個々の曲番号を記憶してステップＳ２３に移る。つまり、ディスク１のＴＯＣ領域には収容されている全曲の曲番号（トラック番号）、開始時間（開始アドレス）等を読み取って制御部３内のメモリに記憶する。
【００２５】
ステップＳ２３では、ランダム再生指示があったか否かを判断してランダム再生指示があればステップＳ２４に移り、なければステップＳ３４に移る。この判断は聴取者により入力部６の押釦スイッチが押されたか否かで決まる。ステップＳ２４では、ディスク内の検索を開始してステップＳ２５に移る。つまり、ディスク１のプログラム領域に記録されているインデックス番号を検索して同一トラック番号内に異なるインデックス番号があるか否かを検索するものである。インデックス番号は複数の領域のフレーム毎に付与されており、同じインデックス番号が連続しているので、早送りしても検出漏れを起こす恐れはない。従って、全プログラム領域を検索しても大して時間はかからない。
【００２６】
ステップＳ２５では、同一曲番号中に異なるインデックス番号が存在するか否かを判断して存在すればステップＳ２７に移り、存在しなければステップＳ２６に移る。ステップＳ２６では、検索を終了してステップＳ２７に移る。ステップＳ２７では、検出したインデックス番号をメモリに記憶してステップＳ２４に戻る。つまり、インデックス番号の異なる２曲目の開始位置（時間）はＴＯＣ情報では指定されていないので、対象となるインデックス番号の曲についてトラック番号及びそのトラック番号の開始からの時間（開始アドレス）を制御部３内のメモリに追加して記憶する。例えば、対象となるインデックス番号の曲を１００番（９９番まではトラック番号で指定されている可能性があるので重複しないように１００番以降の数字を使用する）として曲の開始時間と共に記憶する。このようにして、ステップＳ２４、Ｓ２５、Ｓ２７を繰り返して、プログラム領域の全トラック番号について異なるインデックス番号があるか否かを検索する。
【００２７】
ステップＳ２８では、記憶したデータの中で乱数により曲番号を選択してステップＳ２９に移る。つまり、ステップＳ２１のＴＯＣ情報読み取り時にメモリに記憶されたトラック番号と、今回、ステップＳ２７において新たにメモリに追加されたインデックス番号に対応した曲もランダム再生の対象として乱数を使用してランダム選曲する。
【００２８】
ステップＳ２９では、選択された曲のサーチを行い、ステップＳ３０に移る。つまり、既にステップＳ２２でＴＯＣ情報が読み込まれており、またステップＳ２７で選択された曲（トラック番号及びインデックス番号）が記憶されているので、制御部３はピックアップ駆動部２１に対して光ピックアップ２を移動させてディスク１上の開始位置を探すように指示する。ステップＳ３０では、サーチが完了したか否かを判断して、完了しておればステップＳ３１に移り、完了していなければステップＳ２９に戻ってサーチを継続する。
【００２９】
ステップＳ３１では、ディスク１の再生を開始してステップＳ３２に移る。つまり、選択された曲の音声信号を音声信号処理部４を経由してスピーカ４１に出力する。
ステップＳ３２では、指定されたインデックス番号が終了したか否かを判断して終了しておればステップＳ３３に移り、終了していなければステップＳ３１に戻り再生を継続する。ステップＳ３３では指定された曲が終了したか否かを判断して終了すればステップＳ２８に移る。つまり、指定されたインデックス番号の曲の演奏が終了したのでステップＳ２８に戻り、次の曲をランダムに選択して演奏を開始する。
【００３０】
ステップＳ３４では、通常の再生を実施して処理を終える。つまり、トラック番号順の再生、聴取者の曲指定による再生等通常の再生処理を行う。
以上のように本実施例では、同一トラック番号に２つ以上のインデックス番号が使用された場合にも、電源の投入時又はディスクの装着時にインデックスの異なる全曲が検索されてメモリに記憶されてランダム再生の対象にされるので、第１曲目から全収容曲を対象としたより偶然性の高いランダム再生が可能なディスク再生装置が提供できる。
【００３１】
図３は本発明の第３の実施例のディスク再生装置の制御部の行う処理フローチャートである。本実施例はディスク再生装置の表示部に表示されるランダム再生中の曲番号表示に関するものである。以下、フローチャートを用いて説明する。尚、本フローチャートはランダム選曲により再生曲番が決定された時点から開始する。
【００３２】
ステップＳ４１では、曲番号を選択してステップＳ４２に移る。つまり、本実施例による表示例を第１の実施例に適用すればステップＳ１２とステップＳ１３の間に挿入され、第２の実施例に適用すればステップＳ２８とステップＳ２９の間に挿入される。
ステップＳ４２では、ＴＯＣ領域定義内の曲か否かを判断して定義内の曲であればステップＳ４３に移り、定義内の曲でなければステップＳ４４に移る。つまり、ＴＯＣ領域の曲では０１〜９９の曲が選曲されている。ステップＳ４３では、ＴＯＣ領域で得られた再生すべき曲番号を表示してステップＳ４４に移る。つまり、制御部３は表示部５に対して選択された曲番号を表示させる。この動作は通常のディスク再生装置の表示と概略同じである。
【００３３】
ステップＳ４４では、１００以上の曲番号を付与してステップＳ４５に移る。つまり、０１〜９９の番号はＴＯＣ領域に定義された曲に使用されており、区別するために１００以上の曲番号を付与する。ステップＳ４５では、以前に使用した番号か否かを判断して使用した番号であればステップＳ４４に戻り、使用した番号でなければステップＳ４６に移る。つまり、以前に使用した番号と重複するのを防止するためで、既に使用した番号であればステップＳ４４に戻って１００以上の別の番号（例えば、１０１）が付与される。ステップＳ４６では、表示部に表示してステップＳ４７に移る。つまり、制御部３は表示部５に付与された番号を表示するように指示する。
【００３４】
ステップＳ４７では、選択された曲のサーチを行う。つまり、本実施例による表示例を第１の実施例に適用すればステップＳ１３、第２の実施例に適用すればステップＳ２９に対応する。
以上のように本実施例では、同一トラック番号に２つ以上のインデックス番号が使用された場合にも、表示部へ適切な曲番号の表示ができるディスク再生装置が提供できる。
【００３５】
【発明の効果】
以上説明したように、本発明によると、同一トラック番号に２つ以上のインデックス番号が使用された場合にも、より偶然性の高いランダム再生が可能なディスク再生装置が提供できる。
【図面の簡単な説明】
【図１】本発明の第１の実施例のディスク再生装置の制御部の行う処理フローチャートでる。
【図２】本発明の第２の実施例のディスク再生装置の制御部の行う処理フローチャートでる。
【図３】本発明の第３の実施例のディスク再生装置の制御部の行う処理フローチャートでる。
【図４】ディスク再生装置の構成を示すブロック図である。
【図５】従来のディスク再生装置の制御部の行う処理フローチャートでる。
【符号の説明】
１・・・・ディスク、                ３・・・・制御部、
１１・・・ディスク駆動部、          ４・・・・音声信号処理部、
２・・・・光ピックアップ、          ５・・・・表示部、
２１・・・ピックアップ駆動部、      ６・・・・入力部。
【図１】
0003617734.tif 000002
【図２】
0003617734.tif 000003
【図３】
0003617734.tif 000004
【図４】
0003617734.tif 000005
【図５】
0003617734.tif 000006